(57)【要約】      （修正有）【課題】パネルからパネルフレームが抜け落ちにくく、パネルフレームのガタつきの少ないパネルフレーム、及びパネルキットを提供する。【解決手段】パネルフレーム１０は、互いに平行な一対の長板状の側壁１１，１２と、一対の側壁１１，１２の長手方向に沿った一の端辺どうしを連結する底壁１３とを有し、一対の側壁１１，１２の長手方向に沿った他の端辺間に形成されるパネル挿入溝１４にパネルの外周を嵌入してパネルを補強する。パネルフレーム１０は、一対の側壁１１，１２の内面に側壁の長手方向に延びるよう設けられるとともに、それぞれ対向する少なくとも３対の軟質樹脂からなるパネル挟持用凸条１６，…を備え、３対のパネル挟持用凸条１６，…は、パネルフレーム１０の厚み方向に平行に突設されるとともに、同じ側壁のパネル挟持用凸条１６の先端縁の当該厚み方向の位置が揃うように設けられている。【選択図】図１
0003187630.tif 000002
【実用新案登録請求の範囲】
【請求項１】
一対の長板状の側壁と、前記一対の側壁の長手方向に沿った一の端辺どうしを連結する底壁とを有し、前記一対の側壁の長手方向に沿った他の端辺間に形成されるパネル挿入溝にパネルの外周を嵌入して、パネルを補強するパネルフレームであって、
前記一対の側壁の内面に前記側壁の長手方向に延びるよう設けられるとともに、それぞれ対向する少なくとも３対の軟質樹脂からなるパネル挟持用凸条を備え、
前記３対のパネル挟持用凸条は、当該パネルフレームの厚み方向に平行に突設されるとともに、同じ側壁のパネル挟持用凸条の先端縁の当該厚み方向の位置が揃うように設けられていることを特徴とするパネルフレーム。
【請求項２】
前記一対の側壁のいずれか一方が、外面に手掛け用凹条を備える請求項１に記載のパネルフレーム。
【請求項３】
パネルと、
請求項１又は請求項２に記載のパネルフレームと、を備え、
対向するパネル挟持用凸条の間隔が、前記パネルの厚みより小さいことを特徴とするパネルキット。
【考案の詳細な説明】
【技術分野】
【０００１】
この考案は、ＤＩＹにより既存の窓に取付ける簡易内窓用のパネルや、室内に設置するパーテーション用のパネルの外周に嵌め込むパネルフレーム、及び当該パネルとパネルフレームとをセットにしたパネルキットに関する。
【背景技術】
【０００２】
近年、いわゆるＤＩＹで組立可能な内窓やパーテーション用の樹脂製パネルキットが、ホームセンター等で各種販売されるに至っている（例えば、非特許文献１参照）。
【０００３】
この非特許文献１のパネルフレーム３００は、図７に示すように、軟質樹脂からなる２対のパネル挟持用の凸条３０１，３０１、及び３０２，３０２の奥に、一対の硬質性樹脂からなる凸条３０３，３０３が設けられており、奥側の軟質性樹脂からなる一対の凸条３０２，３０２が外側の一対の凸条３０１，３０１のより間隔が狭く、かつ奥側へ大きく傾斜するよう設けられている。
【先行技術文献】
【非特許文献】
【０００４】
【非特許文献１】株式会社光モールのホームページの商品のご案内のページの<1>パネルフレーム、平成２５年９月１７日検索、＜ＵＲＬ：ｈｔｔｐ：／／ｗｗｗ．ｈ‐ｍｏｌ．ｃｏ．ｊｐ／ｐｒｏｄｕｃｔ／ｉｔｅｍ．ｐｈｐ？ｐｉｄ=１０＆ｍｉｄ=６０＞
【考案の概要】
【考案が解決しようとする課題】
【０００５】
しかし、非特許文献１のパネルフレーム３００は、奥側の軟質樹脂製の凸条３０２が奥側へ大きく傾斜しているため、凸条３０２の先端縁にパネルを押さえつける力が加わらずパネルフレームが滑ってパネルから抜け落ちやすいという問題や、外側の凸条３０１が内側の凸条３０２より低く、外側の凸条３０１がパネルに充分密着しないためパネルがガタつくという問題が有った。
【０００６】
本考案は、上記課題に鑑みてなされたものであり、パネルから抜け落ちにくく、かつ、パネルに対するガタつきの少ないパネルフレーム、及び当該パネルフレームを用いたパネルキットの提供を目的とする。
【課題を解決するための手段】
【０００７】
上記課題を解決するためになされた考案は、一対の長板状の側壁と、前記一対の側壁の長手方向に沿った一の端辺どうしを連結する底壁とを有し、前記一対の側壁の長手方向に沿った他の端辺間に形成されるパネル挿入溝にパネルの外周を嵌入して、パネルを補強するパネルフレームであって、前記一対の側壁の内面に前記側壁の長手方向に延びるよう設けられるとともに、それぞれ対向する少なくとも３対の軟質樹脂からなるパネル挟持用凸条を備え、前記３対のパネル挟持用凸条は、当該パネルフレームの厚み方向に平行に突設されるとともに、同じ側壁のパネル挟持用凸条の先端縁の当該厚み方向の位置が揃うように設けられていることを特徴とする。
【０００８】
本考案に係るパネルフレームでは、このように、軟質樹脂からなる３対のパネル挟持用凸条が、パネルフレームの厚み方向（以下単に「厚み方向」ともいう。）に突出するよう設けられており、パネルを挿入してパネル挟持用凸条が倒れた場合に各凸条が厚み方向に戻ろうとするため、予め奥側に傾けられている凸条に比べ、パネルを挟持する力を増強することができる。また、同じ側壁に設けられるパネル挟持用凸条の先端縁が、厚み方向の同じ位置に揃うよう設けられているため、一部の凸条がパネルから離れてしまうことによるパネルのガタつきを抑制することができる。
【０００９】
本考案のパネルフレームは、前記一対の側壁のいずれか一方が、外面に手掛け用凹条を備えることが好ましい。このように、手掛けを凸条ではなく凹条にして、かつ側壁の一方のみに設けるようにすると、既存窓に当該パネルプレームにより内窓を取付ける場合に手掛け用凹条のある面を既存窓側に向けてもこの凹条が既存窓にぶつからないため、手掛けの必要がない横方向に用いる場合は凹条のある側壁を室外側（既存窓側）に向けることができ、手掛けが必要な縦方向に用いる場合は手掛け用凹条のある側壁を室内側に向けることができるため、縦方向用と横方向用のパネルを共通部材とすることができる。
【００１０】
本考案のパネルキットは、パネルと、上記のパネルフレームを備え、対向するパネル挟持用凸条の間隔が、前記パネルの厚みより小さいことを特徴とする。こうすることで、パネルのガタつきを抑制することができる。
【００１１】
ここで、「パネルフレームの厚み方向」とは、一対の側壁の対向する方向をいうものとする。
【考案の効果】
【００１２】
以上説明したように、本考案のパネルフレーム、及びパネルキットによれば、パネルからのパネルフレームの抜け落ちと、パネルに対するパネルフレームのガタつきとを抑制することができる。
【図面の簡単な説明】
【００１３】
【図１】本考案の第１実施形態のパネルキットに用いられるパネルフレームの要部斜視図である。
【図２】本考案の第１実施形態のパネルキットに用いられるパネルフレームの（ａ）パネル挿入前の状態を示した側面視断面図、（ｂ）パネルの挿入状態を示した側面視断面図である。
【図３】本考案の第１実施形態のパネルキットを用いた内窓の(ａ)側面視端面図、(ｂ)平面視端面図である。
【図４】本考案の第１実施形態のパネルキットを用いた内窓の断面斜視図である。
【図５】本考案の第２実施形態のパネルキットに用いる補強材の要部斜視図である。
【図６】本考案の第２実施形態のパネルキットを用いたパーテーションの斜視図である。
【図７】公知のパネルフレームを示す側面視断面図である。
【考案を実施するための形態】
【００１４】
以下、適宜図面を用いながら、本考案の実施の形態について詳述する。
（第１実施形態）
パネルキット１００は、図４に示すように、既成窓Ａの窓枠Ｃに後付けする内窓Ｂを組立てるために用いられる。パネルキット１００は、図３に示すように、ポリカーボネイトやアクリルボード等の樹脂製ボードからなるパネル２０と、パネル２０の外周を補強するパネルフレーム１０とを主に備える他、断面が山の字形状を有する長尺部材の上レール２１及び下レール２２（図３（ａ）参照）と、断面がコ字形状を有する長尺部材からなる一対の横カバー２３，２３（図３（ｂ）参照）を備えている。
尚、本考案のパネルフレーム及びパネルキットは、以下の実施の形態に限られるものではない。
【００１５】
パネルフレーム１０は、図１に示すように、断面略コ字形状を有する長尺部材であり、軟質樹脂と硬質性樹脂とを２色押出成形することにより一体成型される。パネルフレーム１０は、長板状の表壁（特許請求の範囲の側壁）１１及び裏壁（特許請求の範囲の側壁）１２からなる一対の側壁と、表壁１１及び裏壁１２の長手方向に沿った一側端辺どうしを連結する底壁１３と、表壁１１及び裏壁１２の長手方向に沿った他側端辺間に設けられるパネル挿入溝１４とを備えている。
【００１６】
表壁１１、及び裏壁１２の内面には、パネルフレーム１０の長手方向に平行に延びる片壁３本ずつ３対で計６本のパネル挟持用凸条（以下単に「挟持用凸条」ともいう。）１６，１６，…が設けられている。パネル挟持用凸条１６は、軟質樹脂により帯板状に形成され、表壁１１、及び裏壁１２に対し垂直に（パネルフレーム１０の厚み方向（図２の左右方向）に）突出し、１対ずつが互いに対向するよう設けられている。片側３つの挟持用凸条１６，…の側壁１１，１２からの突出高さ、及び対向する３対の挟持用凸条間の間隙は、概ね等しくなるように、即ち、表壁１１、及び裏壁１２に設けられる３本のパネル挟持用凸条１６，…の先端縁は、それぞれ厚み方向の位置が、側面視でパネルフレーム１０の幅方向（図２の上下方向）に揃うよう設けられている。挟持用凸条１６，…の先端縁は、パネル挿入溝１４側の角１６ａが曲面状に面取りされている。また、底壁１３と挟持用凸条１６の間には補強壁１７が設けられている。
【００１７】
表壁１１の外面には、図１に示すように、表壁１１の長手方向に延びる手掛け用の凹条１８が設けられている。また、表壁１１、及び裏壁１２の外面には、後述する補強材３０の嵌合用凸条３１と嵌合する嵌合用凹条１９が各２本設けられている。
【００１８】
次に、パネルキット１００を用いて内窓を作成する手順について説明する。まず、内窓Ｂを取付ける窓枠Ｃの各部の寸法に合わせて、パネルフレーム１０、パネル２０、上レール２１、下レール２２、一対の横カバー２３，２３を切断加工する。続けて、左右一対の横カバー２３，２３を窓枠Ｂの縦枠の見込み部分に薄手の両面テープや接着剤、木ネジ等を用いて取付ける。次に窓枠Ｂの上枠及び下枠の見込み部分に上レール２１及び下レール２２をそれぞれ横カバーと同様に取付ける。上レール２１及び下レール２２の端部は、横カバー２３の内側に嵌め込むようにする。
【００１９】
一方で、パネルフレーム１０のパネル挿入溝１４にパネル２０の端辺を差し込む。パネルフレーム１０に、パネル２０を差し込むと、パネル２０は、３対の挟持用凸条１６，…によって挟持される。
【００２０】
ここで、３対の軟質樹脂からなるパネル挟持用凸条１６の作用及び効果について説明する。図２（ｂ）に示すように、パネルフレーム１０に、パネル２０を嵌め込むと、３対のパネル挟持用凸条１６，…は、奥側へやや傾斜した状態でパネル２０を受け入れるとともに、表壁１１、又は裏壁１２に対し垂直な姿勢（厚み方向に平行な姿勢）に戻ろうとする弾性力により、パネル２０を両側から挟持する。このとき、パネル挟持用凸条１６のパネル挿入溝１４側の角１６ａが曲面状に面取りされているため、パネル挟持用凸条１６が必要以上に倒れることがなく、パネル挟持用凸条１６の倒れすぎによるパネルを挟持する力の減少が抑制されている。また、挟持用凸条１６，…の高さ、及び間隙が略等しく設けられて、先端縁の厚み方向の位置が揃っていることで、一部の挟持用凸条１６がパネル２０の表面から浮き上がったりすることがないため、パネルフレーム１０のガタつきを抑制できる。
尚、肉薄のパネル２０を用いる場合には、パネル２０と挟持用凸条１６，１６の間に、調節板（不図示）を挿入してもよい。
【００２１】
パネル２０の縦辺に取付けるパネルフレーム１０は、手掛け用凹条１８の設けられた表壁１１を室内側に向けて取付け、パネル２０の横辺に取付けるパネルフレーム１０は、手掛け用凹条１８を室外側（既成窓Ａ側）となるよう取付ける。このように、パネルフレーム１０は、表壁１１のみに手掛け用凹条１８が設けられているので、手掛けが必要なところ以外は、手掛け用凹条１８を外側にして取付けることで意匠性を高めることができる。パネル２０は、窓枠Ｃの左右用に２枚設けられ、パネルフレーム１０を取付けたのち引き違いにして上下のレール２１，２２間に取り付けられる。  また、表壁１１の外面には手掛け用の凸条１８が設けられているため、パネルフレーム１０は、長手方向に湾曲することが抑制されている。
【００２２】
（第２実施形態）
図６は、パーテーションＤ用のパネルキット２００を示している。パネルキット２００は、第１実施形態と同じパネルフレーム１０と、中空ポリカーボネイト製の中空ボードからなるパネル４０とを主に備える他、Ｌ字の支持脚５０と、Ｌ字の支持脚５０を固定するコ字型金具５１を備えている。このように、パネルフレーム１０をパーテーションＤに用いる場合、例えば、縦方向のパネルフレーム１０、及び横方向のパネルフレーム１０の両方とも手掛け用凹条１８を同じ側に集めると意匠性を高めることができる。また、パネル４０が大きい場合には、パネル４０、及びパネルフレーム１０の湾曲を抑えるために、図５に示した補強材３０をパネルフレーム１０に外嵌させてもよい。補強材３０は、図５に示すように、断面が略コ字状を有し開口部３３の端辺にパネルフレーム１０の角部に係止する係止用凸条３２が設けられるとともに、開口部３３側がやや狭くなるよう形成されており、パネルフレーム１０を嵌め込んだ際に押し広げられた反力で、パネルフレーム１０を挟持するよう構成されている。
尚、図５において、符号３１は、パネルフレーム１０の嵌合用凹条１９に嵌合する嵌合用凸条を示している。
【００２３】
本考案のパネルフレームは上記の実施形態に限らず、例えば、手掛け用凹条を有さないものも含む。また、嵌合用凹条や補強壁は省略することができる。パネルフレームを取付けたパネルは引き違いでなくはめ殺しにしてもよい。
【産業上の利用可能性】
【００２４】
本考案のパネルフレームは、パネルが抜け落ちにくく、またパネルのガタつきが少ないため、各種の内窓やパーテーション用のパネルに好適に用いることができる。
【符号の説明】
【００２５】
１０  パネルフレーム
１１  表壁（側壁）
１２  裏壁（側壁）
１３  底壁
１４  パネル挿入溝
１６  パネル挟持用凸条
１８  手掛け用凹条
２０，４０  パネル
１００，２００  パネルキット
【図１】
0003187630.tif 000003
【図２】
0003187630.tif 000004
【図３】
0003187630.tif 000005
【図４】
0003187630.tif 000006
【図５】
0003187630.tif 000007
【図６】
0003187630.tif 000008
【図７】
0003187630.tif 000009